(57)【特許請求の範囲】
【請求項１】
カラオケ施設の歌唱ルーム内で歌唱者の選択、要求に応じた対応の楽曲を演奏出力し、少なくとも歌詞を表示手段に表示させる通常のカラオケ装置を備え、歌唱対象となる所定数の楽曲の演奏データ、歌詞データが少なくとも格納されている楽曲格納手段を備えるカラオケシステムであって、
歌唱者が選択、要求した楽曲が歌唱される際に使用される複数番の歌詞データを少なくとも取得し、当該各番の歌詞を歌詞表示基材上の一の番の歌詞形成領域上に形成させたときに、多面表示レンズを介して視線角度よって各番の歌詞を番順に順次視認させるための当該各番の歌詞の合成歌詞を作成する歌詞印刷編集手段と、
前記合成歌詞を前記歌詞表示基材の歌詞形成領域上に印刷すると共に、少なくとも当該歌詞形成領域上に前記多面表示レンズを貼り合わせて歌詞カードを作製する歌詞カード作製部と、
を有することを特徴とするカラオケシステム。
【請求項２】
請求項１記載のカラオケシステムであって、前記歌詞印刷編集手段は、前記カラオケ装置に、又は前記歌詞カード作製部に備えられることを特徴とするカラオケシステム。
【請求項３】
請求項１又は２記載のカラオケシステムであって、前記歌詞カード作製部は、前記カラオケ施設の各歌唱ルームに備えられるそれぞれの前記カラオケ装置にそれぞれ備えられ、又は当該それぞれのカラオケ装置に対して単一で備えられることを特徴とするカラオケシステム。
【発明の詳細な説明】
【技術分野】
【０００１】
本発明は、カラオケ施設で所定の楽曲が歌唱されるに際して、当該楽曲の少なくとも歌詞データを表示等で使用するカラオケシステムに関する。
【背景技術】
【０００２】
カラオケ施設は全国的に展開され、施設利用者に対するサービスも多様化してきている。例えば歌唱の採点、歌唱のＣＤ化等がある。カラオケ施設に設備されるカラオケ装置は、選択された楽曲のデータを取得し、ディスプレイに関連の映像や歌詞を表示させることを基本構成としているのが一般的であり、歌詞に関するサービスは演奏に即して色変化させる歌詞表示に止まっているのが現状である。
【０００３】
一方、ある楽曲の歌詞を覚える場合、一般に歌詞集や歌詞カードが利用され、歌詞カードは音楽媒体のジャケット内に含まれていたり、有償、無償に拘わらず単体で個別に配られることなどで取得可能となっている。このような歌詞カードに付加価値を与えるものとして下記の特許文献等で提案されている。
【０００４】
下記特許文献は、カード媒体について開示され、当該カード媒体は、歌詞カード本体に、録音された楽曲等に関連するファイル部材に添付するための剥離可能な第１表示部が形成され、また録音された楽曲に関連する剥離可能な第２表示部と、前記カード本体に形成されると共に、録音された楽曲に関連するもので、前記ファイル部材に取り付けるための第３表示部とが形成されたものであり、これらのデータがホストコンピュータより端末に配信されて当該端末側のプリント手段でプリントさせるというものである。
【０００５】
【特許文献１】再表Ｗ０００/６５５５７号公報
【発明の開示】
【発明が解決しようとする課題】
【０００６】
しかしながら、上記特許文献に提案されている歌詞カード及びその提供をカラオケ施設で適用させる場合、利用者の楽曲歌唱と歌詞カード作製との関連性で操作の連続性がなく、歌詞カードの需要喚起、カラオケ施設の利用喚起に欠けるという問題がある。一方、上記特許文献に提案されている歌詞カードを含めた一般の歌詞カードは単葉の用紙基材に全歌詞を表示させたものであり、このような歌詞カードにおいて、歌詞の視認性を向上させるために文字を大とすると用紙基材が長大となってコンパクト性に欠けるという問題がある。一方、歌詞を表示させる用紙基材をコンパクト化させた場合には、歌詞を表示させる文字を小さくしなければならず、視認性に欠けるという問題がある。
【０００７】
そこで、本発明は上記課題に鑑みなされたもので、楽曲選択からの操作性を連続させて視認性やコンパクト性の優れた歌詞カードの作製を可能とさせて需要喚起を図ると共に、カラオケ施設の利用喚起を図るカラオケシステムを提供することを目的とする。
【課題を解決するための手段】
【０００８】
上記課題を解決するために、請求項１の発明では、カラオケ施設の歌唱ルーム内で歌唱者の選択、要求に応じた対応の楽曲を演奏出力し、少なくとも歌詞を表示手段に表示させる通常のカラオケ装置を備え、歌唱対象となる所定数の楽曲の演奏データ、歌詞データが少なくとも格納されている楽曲格納手段を備えるカラオケシステムであって、歌唱者が選択、要求した楽曲が歌唱される際に使用される複数番の歌詞データを少なくとも取得し、当該各番の歌詞を歌詞表示基材上の一の番の歌詞形成領域上に形成させたときに、多面表示レンズを介して視線角度よって各番の歌詞を番順に順次視認させるための当該各番の歌詞の合成歌詞を作成する歌詞印刷編集手段と、前記合成歌詞を前記歌詞表示基材の歌詞形成領域上に印刷すると共に、少なくとも当該歌詞形成領域上に前記多面表示レンズを貼り合わせて歌詞カードを作製する歌詞カード作製部と、を有する構成とする。
【０００９】
請求項２及び３の発明では、「前記歌詞印刷編集手段は、前記カラオケ装置に、又は前記歌詞カード作製部に備えられる」構成であり、
「前記歌詞カード作製部は、前記カラオケ施設の各歌唱ルームに備えられるそれぞれの前記カラオケ装置にそれぞれ備えられ、又は当該それぞれのカラオケ装置に対して単一で備えられる」構成である。
【発明の効果】
【００１０】
本発明によれば、歌詞印刷編集手段において歌唱者が選択、要求した楽曲が歌唱される際に使用される複数番の歌詞データを少なくとも取得し、当該各番の歌詞を歌詞表示基材上の一の番の歌詞形成領域上に形成させたときに、多面表示レンズを介して視線角度によって各番の歌詞を番順に順次視認させるための当該各番の歌詞の合成歌詞を作成し、歌詞カード作製部において上記合成歌詞を歌詞表示基材の歌詞形成領域上に印刷すると共に、少なくとも当該歌詞形成領域上に多面表示レンズを貼り合わせて歌詞カードを作製する構成とすることにより、カラオケ装置における楽曲選択からの操作性を連続させて視認性やコンパクト性の優れた歌詞カードの作製を可能とさせ、これによって需要喚起を図ることができると共に、カラオケ施設の利用喚起を図ることができるものである。
【発明を実施するための最良の形態】
【００１１】
以下、本発明の最良の実施形態を図により説明する。
図１に、本発明に係るカラオケシステムの構成図を示す。図１（Ａ）においてカラオケシステム１１は、カラオケ装置１２、楽曲格納手段である楽曲データベース（楽曲ＤＢ）１３及び歌詞カード作製部１４で構成され、カラオケ装置１２はカラオケ施設の歌唱ルーム内で歌唱者の選択、要求に応じた対応の楽曲を演奏出力し、少なくとも歌詞を表示手段に表示させる通常のカラオケ機能に加えて、後述の歌詞印刷編集手段を備える。
【００１２】
すなわち、カラオケ装置１２は、処理回路基板で構成される制御処理部１５に対して、増幅手段であるミキシングアンプ及び当該ミキシングアンプに所定数のマイクとスピーカを備える音響部１６が接続されると共に、ＬＣＤ等の表示手段１７及び操作パネル１８が信号線により接続され、無線式で表示手段を備えて楽曲の選択等を行う遠隔入出力端末１９が接続される。これらの構成要素は従前のカラオケ装置と同様であり、説明を省略する。そして、当該制御処理部１５に対して歌詞カード作製部１４が有線式、無線式を問わず接続される（後述する）。
【００１３】
また、制御処理部１５は、上述のように処理回路基板で構成され、バス２１、制御手段２２、ＲＡＭ２３、楽曲検索手段２４、音楽曲出力手段２５、再生制御手段２６、操作信号入力手段２７及び送受信手段２８を適宜備える。これらの構成要素においても従前のカラオケ装置における制御処理部の備える機能と同様であり、以下に簡潔に説明する。そして、当該制御処理部１５は上記従前の機能に加えて歌詞印刷編集手段２９を備える。
【００１４】
ここで、上記制御手段２２は、このシステムを統括的に制御するもので、上記ＲＡＭ５３は、種々のプログラムを展開、実行させるための作業領域としての役割をする。上記楽曲検索手段２４は、例えば新曲、歌手名、曲名、ジャンル及び履歴のそれぞれについて、楽曲ＤＢ１３（図１（Ｂ）で説明する）に記憶されている楽曲を検索するためのものである。
【００１５】
また、上記音楽曲出力手段２５は、楽曲ＤＢ１３より抽出された楽曲映像の演奏データをアナログ変換して音響部１６に出力し、上記再生制御手段２６は、楽曲ＤＢ１３より抽出された当該楽曲映像の映像データをアナログ変換して表示手段１７に出力する。上記操作信号入力手段２７は操作パネル１８からの音量等の設定信号を入力するもので、上記送受信手段２８は遠隔入出力端末１９に対して相互に信号を授受させるためのものである。
【００１６】
そして、上記歌詞印刷編集手段２９は、構成の詳細は図２で説明するが、歌唱者が選択、要求した楽曲が歌唱される際に使用される複数番の歌詞データを少なくとも取得し、当該各番の歌詞を歌詞表示基材上の一の番の歌詞形成領域上に形成させたときに、多面表示レンズを介して視線角度によって各番ずつの歌詞として視認させるための当該各番の歌詞の合成歌詞を作成して、上記歌詞カード作製部１４に出力するものである（歌詞合成の詳細は図５及び図６で説明する）。
【００１７】
当該歌詞カード作製部１４は、詳細は図７（Ａ）で説明するが、歌詞印刷編集手段２９で合成された上記合成歌詞を歌詞表示基材（図３及び図４で説明する）の歌詞形成領域上に印刷すると共に、少なくとも当該歌詞形成領域上に多面表示レンズ（図３及び図４で説明する）を貼り合わせて歌詞カードを作製するものである。なお、上記歌詞印刷編集手段２９は必ずしもカラオケ装置１２の制御処理部１５に設ける必要はなく、当該歌詞カード作製部１４内に備えることとしてもよい。
【００１８】
一方、楽曲ＤＢ１３は、図１（Ｂ）に一例として示されるように、例えばリクエスト番号にタイトル名、歌手名、作曲者名、作詞者名が関連付けられており、また、歌詞データのファイル名、楽曲映像（映像データ及び演奏データ）のファイル名、歌手画像のファイル名、歌手サイン画像のファイル名及びジャケット画像のファイル名が関連付けられている。上記各種ファイル名に対応するファイルデータは当該ＤＢ内に格納されているものである。なお、当該楽曲ＤＢ１３は、例えばカラオケ装置１２が各歌唱ルームに設置されているカラオケ施設に単一で備えられるものであるが、当該カラオケ装置１２内にそれぞれ備えるものとしてもよく、また、通信ネットワークを介して接続されるコンテンツサーバやホストコンピュータに備えるものとしてもよい。
【００１９】
そこで、図２に、図１のカラオケシステムにおける歌詞印刷編集手段の構成説明図を示す。図２（Ａ）において、カラオケ装置１２の備える歌詞印刷編集手段２９は、適宜、設定手段３１、データ読込手段３２、歌詞分解合成編集手段３３、印刷ファイル作成手段３４及び印刷情報ＤＢ３５を備える。上記設定手段３１は、歌詞カードを作製する際の条件等を例えば遠隔入出力手段１９より設定するもので、条件設定の一例を図２（Ｂ）に示す。
【００２０】
図２（Ｂ）において、条件設定を行うための設定画面が例えば上記遠隔入出力手段１９に表示される（操作パネル１８からの設定等は表示手段１７に表示される）。設定画面では、例えば、オプション設定としてフォント種類、フォントサイズ、フレームデザイン、背景、片面表示面数があり、また、歌詞カードにイメージ画像を貼り付けることの設定を可能としている。イメージ貼付としては、貼付不要から、歌詞写真画像、歌手サイン画像、ジャケット写真画像から選択可能としている。
【００２１】
上記フォント種類等のフォントに関するデータ、フレームデザイン、背景デザインのデータは、上記印刷情報ＤＢ３５に選択数に応じて予め格納される。また、イメージ貼付の対象となる歌手写真画像、歌手サイン画像及びジャケット写真画像は、上述の図１（Ｂ）で示す楽曲ＤＢ１３に、選択対象の楽曲（リクエスト番号）と関連付けられて格納されている。
【００２２】
一方、歌詞カードの作製にあたってオプション設定を行わず、標準を選択することも可能としている。標準とは、上記のフォント種類、フォントサイズ、フレームデザイン、背景、片面表示面数、イメージ貼付内容等が予め定められたひな型等を作製しておいたものである。ここでは、例えば、フォント種類をゴシック、フォントサイズを１４ポイント、デフォルトとして設定したフレームデザイン及び背景、片面表示面数を３面、イメージ貼付無しとして、以下の実施形態で説明する。
【００２３】
上記データ読込手段３２は、歌唱対象として選択された楽曲の歌詞データ及び上記設定手段３１で設定、選択された対象データを楽曲ＤＢ１３及び印刷情報ＤＢ３５より読み込んで取得するためのものである。上記歌詞分解合成編集手段３３は、取得した複数番の歌詞データを当該各番の歌詞を歌詞表示基材上の一の番の歌詞形成領域上に形成させたときに、多面表示レンズを介して視線角度によって各番ずつの歌詞として視認させるための当該各番の歌詞の合成歌詞を作成するもので、詳細は図４〜図６で説明する。そして、上記印刷ファイル作成手段３４は、作成された合成歌詞等を歌詞表示基材上に印刷させるための印刷ファイルを作成するもので、作成された当該印刷ファイルは歌詞カード作製部１４に送出される。
【００２４】
すなわち、上記歌詞印刷編集手段２９は、遠隔入出力端末１９等により歌唱対象の楽曲が設定（または、予約）された際に、歌詞カードを作製するか否かを操作者に選択させ、作成する場合に上記設定手段３１が設定画面を表示させて条件設定させる。そして、当該楽曲が楽曲ＤＢ１３より読み込まれた際に、歌詞データ及び設定された対象データを楽曲ＤＢ１３及び印刷情報ＤＢ３５より読み込ませ、少なくとも歌詞データから合成歌詞を作成して印刷ファイルを作成し、当該印刷ファイルを歌詞カード作製部１４に送出するものである。なお、歌詞データ等の読み込みは、演奏開始時に制御手段２２によって読み込まれたものを転送させることとしてもよい。
【００２５】
ここで、作製される歌詞カードについて説明した後に、合成歌詞の形成について説明する。図３に図１のカラオケシステムで作製される歌詞カードの表示説明図を示すと共に、図４に図１のカラオケシステムで作製される歌詞カードの構成説明図を示す。図３（Ａ）〜（Ｃ）において、歌詞カード４１は、例えばハガキ大の歌詞表示基材４２上に多面表示レンズであるレンチキュラーレンズ４３が設けられたものであり、当該歌詞表示基材４２上には一の番の歌詞表示領域に所定楽曲の全３番のそれぞれの歌詞が合成された合成歌詞が形成されるものである。すなわち、ある視点４４より角度を異ならせて当該歌詞表示基材４２上に形成された合成歌詞を見たときに視線角度によって各番ずつの歌詞として視認させるものである。
【００２６】
具体例として、上記歌詞表示基材４２には、固定情報領域４５及び可変表示領域４６が適宜な領域配分で形成され、当該固定情報領域４５上に、対象の楽曲に関連する、曲名、リクエスト番号、作曲者、作詞者、歌手等の固定情報が適宜形成される。また、上記可変表示領域４６には、一の番の歌詞表示領域に、一番〜三番の歌詞「一番、あいう・・・」４６Ａ、「二番、いろは・・・」４６Ｂ、「三番、アイウ・・・」４６Ｃの合成歌詞が形成される。
【００２７】
そして、図３（Ａ）に示すように、歌詞カード４１を視点４４より角度ａで見たときには固定情報領域４５の固定情報、及び可変表示領域４６の一番の歌詞「一番、あいう・・・」４６Ａが視認される。また、歌詞カード４１を視点４４より角度ｂで見たときには固定情報領域４５の固定情報、及び可変表示領域４６の二番の歌詞「二番、いろは・・・」４６Ｂが視認される。さらに、歌詞カード４１を視点４４より角度ｃで見たときには固定情報領域４５の固定情報、及び可変表示領域４６の三番の歌詞「三番、アイウ・・・」４６Ｃが視認されるものである。
【００２８】
ここで、歌詞カード４１は、図４（Ａ）に示すように、歌詞表示基材４２とレンチキュラーレンズ４３とで構成され、歌詞表示基材４２は上述のように固定情報領域４５及び可変表示領域４６に区分けされている（文字の印刷形態は図４（Ｃ）で説明する）。当該歌詞表示基材４２は、例えば紙類、フィルム、不織布、樹脂板、金属簿板等の印刷が可能な部材が適用可能である。
【００２９】
また、レンチキュラーレンズ４３は、当該歌詞カード４１の長手方向を縦方向としたときに横方向に延長したかまぼこ型レンズ（当該縦方向のみ拡大）を、縦方向に所定数配列させたもので、例えば樹脂により形成される。上記一のかまぼこ型レンズを線状帯としたときに、当該かまぼこ型レンズの大きさ、配列ピッチ、配列数は、表示する歌詞の文字の大きさ、カードの大きさに応じて適宜設定され、また、拡大率においても表示面数（ここでは３面）に応じて、レンズ厚（文字表面からの距離）、レンズ曲率が適宜設定されるものである。ここでは、３面表示として拡大率を３倍としている（例えば６面表示では６倍とされる）。
【００３０】
そして、図４（Ｂ）に示すように、歌詞表示基材４２とレンチキュラーレンズ４３を接着剤により接着させることにより一枚の歌詞カード４１となる。なお、本実施形態では、レンチキュラーレンズ４３を歌詞表示基材４２の全面に設けた場合を示しているが、少なくとも可変表示領域４６上に設ければ足りる。
【００３１】
ここで、図４（Ｃ）は図４（Ｂ）のＡ−Ａ断面を、理解しやすいように誇張して概念的に示したもので、歌詞表示基材４２を表示基材４２Ａ及び歌詞形成層４２Ｂで構成するものとして示す。表示基材４２Ａ上の歌詞形成層４２Ｂであって、可変表示領域４６に形成される文字情報は、３面表示として一線状帯のかまぼこ型レンズの断面山型の幅に、３種類の情報（歌詞一番から三番までの対応文字の部分構成文字情報）が配置されるもので（例えば、部分構成文字情報４６Ｃ−１，４６Ｂ−２，４６Ａ−３）、順次各線状帯に応じたそれぞれの対応文字の部分構成文字情報が配置される。なお、固定情報領域４５に形成される固定情報（歌詞形成層４２Ｂ）は、３面表示でも常に同一の文字が表示されるものであり、３つの同じ対応文字のそれぞれ対応する同じ部分構成文字情報が順次配列されるものである（後述する）。
【００３２】
そこで、図５及び図６に、作製される歌詞カードにおける合成歌詞の形成説明図を示す。合成歌詞の形成は、上述の歌詞印刷編集手段２９の歌詞分解合成編集手段３３が行うもので、図５及び図６における合成歌詞形成手法を、ピックアップ法と称し、また、縦方向の一文字を、例えば４８ライン分に分けて各一ライン分を上記部分構成文字情報とする。
【００３３】
図５（Ａ）は、上記楽曲の一番歌詞を示したもので、当該一番歌詞元データ４６Ａが４８ラインに分けられて、それぞれを部分構成文字情報４６Ａ−１〜４６Ａ−４８とされる。これら部分構成文字情報４６Ａ−１〜４６Ａ−４８のうち、第３ライン目から２ライン置きに部分構成文字情報４６Ａ−３，４６Ａ−６，４６Ａ−９，４６Ａ−１２，・・・がピックアップされる。この部分構成文字情報４６Ａ−３，４６Ａ−６，４６Ａ−９，４６Ａ−１２，・・・が並べられると、一文字分の縦方向の長さが元データの１／３となる。すなわち、これが拡大率３倍のレンチキュラーレンズ４３で縦方向のみが拡大されると元データの縦方向の長さと同様となるものである。
【００３４】
また、図５（Ｂ）は、上記楽曲の二番歌詞を示したもので、当該二番歌詞元データ４６Ｂが４８ラインに分けられて、それぞれを部分構成文字情報４６Ｂ−１〜４６Ｂ−４８とされる。これら部分構成文字情報４６Ｂ−１〜４６Ｂ−４８のうち、第２ライン目から２ライン置きに部分構成文字情報４６Ｂ−２，４６Ｂ−５，４６Ｂ−８，４６Ｂ−１１，・・・がピックアップされる。この部分構成文字情報４６Ｂ−２，４６Ｂ−５，４６Ｂ−８，１６Ｂ−１１，・・・が並べられると、一文字分の縦方向の長さが元データの１／３となる。
【００３５】
さらに、図５（Ｃ）は、上記楽曲の三番歌詞を示したもので、当該三番歌詞元データ４６Ｃが４８ラインに分けられて、それぞれを部分構成文字情報４６Ｃ−１〜４６Ｃ−４８とされる。これら部分構成文字情報４６Ｃ−１〜４６Ｃ−４８のうち、第１ライン目から２ライン置きに部分構成文字情報４６Ｃ−１，４６Ｃ−４，４６Ｃ−７，４６Ｃ−１０，・・・がピックアップされる。この部分構成文字情報４６Ｃ−１，４６Ｃ−４，４６Ｃ−７，４６Ｃ−１０，・・・が並べられると、一文字分の縦方向の長さが元データの１／３となる。
【００３６】
そこで、図６に示すように、一番歌詞の部分構成文字情報４６Ａ−３，４６Ａ−６，４６Ａ−９，４６Ａ−１２，・・・と、二番歌詞の部分構成文字情報４６Ｂ−２，４６Ｂ−５，４６Ｂ−８，４６Ｂ−１１，・・・と、三番歌詞の部分構成文字情報４６Ｃ−１，４６Ｃ−４，４６Ｃ−７，４６Ｃ−１０，・・・とを、三番歌詞４６Ｃ、二番歌詞４６Ｂ、一番歌詞４６Ａの順に４６Ｃ−１，４６Ｂ−２，４６Ａ−３，４６Ｃ−４，４６Ｂ−５，４６Ａ−６・・・の各部分構成文字情報を配列することで一番〜三番までの全歌詞が４８ラインとして合成されるものである。
【００３７】
ところで、固定情報領域４５上に形成される固定情報を図５（Ａ）を用いて説明すると、ピックアップした部分構成文字情報４６Ａ−３，４６Ａ−６，４６Ａ−９，４６Ａ−１２，・・・を、それぞれ３つずつ縦方向に順次配列（４６Ａ−３，４６Ａ−３，４６Ａ−３，４６Ａ−６，４６Ａ−６，４６Ａ−６，・・・）して４８ラインとするものである。このことは、仮にイメージ貼付を行う場合においても、多面表示させない場合には当該固定情報の形成手法で処理し、多面表示させる場合には上記合成歌詞の形成手法で処理されるものである。
【００３８】
上記のように合成された合成歌詞が歌詞表示基材４２の可変表示領域４６上に印刷されるものとして形成されるもので、これらの印刷データに基づく印刷ファイルが印刷ファイル作成手段３４により作成されて歌詞カード作製部１４に送出されるものである。
【００３９】
そこで、図７に、図１のカラオケシステムにおける歌詞カード作製部の構成説明図を示す。図７（Ａ）において、歌詞カード作製部１４は、歌詞表示基材４２を枚葉ごとに供給する歌詞表示基材供給手段５１より印刷部５２、接着剤塗布部５３が配置され、貼り合わせ位置に第１規制部５４及び第２規制部５５が配置され、さらに加圧ローラ部５６が配置されるもので、これらの配設間に搬送手段（搬送ベルト）５７が設けられる。ここで、第１規制部５４は上下動自在であるが、駆動部分の図示は省略する。
【００４０】
一方、上記貼り合わせ位置に対してレンズシート供給手段５８及び送りローラ５９より所定数の搬送ローラ６０，６１が配置されるもので、当該レンズシート供給手段５８より送りローラ５９がレンチキュラーレンズ４３を枚葉ごとに送り、搬送ローラ６０，６１により当該貼り合わせ位置にレンチキュラーレンズ４３を供給する。
【００４１】
これらの駆動制御は、制御処理部６２が統括して行う。なお、上記印刷部５２は、乾燥手段を含むもので、インクジェット方式やレーザプリント方式等の印字形態は何れでもよい。また、接着剤塗布部５３は、例えば表面に接着剤を保持したローラによって合成歌詞等が印字された歌詞表示基材４２上に接着剤を塗布させることが可能である。
【００４２】
このような歌詞カード作製部１４は、上記歌詞印刷編集手段２９で作成された印刷ファイルが処理制御部６２に入力されることで開始される。すなわち、歌詞表示基材供給手段５１より枚葉の歌詞表示基材４２が印刷部５２に供給されると、図７（Ｂ）に示すように、歌詞表示基材４２の表示基材４２Ａ上の歌詞形成層４２Ｂであって、固定情報形成領域４５上に対応の固定情報が印字され、可変表示領域４６上に、図６に示したような合成歌詞４６Ｃ−１，４６Ｂ−２，４６Ａ−３・・・が印字されて乾燥させる。
【００４３】
合成歌詞等が印字された歌詞表示基材４２は、接着剤塗布部５３で表面上に接着剤が塗布され、貼り合わせ位置に搬送される。このとき、第１規制部５４は上昇位置とされて当該歌詞表示基材４２の搬送方向先端が位置規制され、一の側辺部分が第２規制部５５で位置規制される（この状態で搬送ベルト５７は一旦停止される）。一方、レンズシート供給手段５８より枚葉のレンチキュラーレンズ４３が、送りローラ５９、搬送ローラ６０，６１により貼り合わせ位置の歌詞表示基材４２上に供給される。このとき、当該レンチキュラーレンズ４３は当該歌詞表示基材４２に対して、搬送方向先端が第２規制部５５で位置規制され、一の側辺部分が第１規制部５４で規制されることで位置合わせされることとなる。
【００４４】
上記貼り合わせ位置で合わされた歌詞表示基材４２とレンチキュラーレンズ４３とは仮接着状態とされるもので、第１規制部５４を下降させ、搬送ベルト５７を駆動させることで加圧ローラ５６に送られ、ここで当該歌詞表示基材４２とレンチキュラーレンズ４３とが本接着され、歌詞カード４１として排出されるものである。
【００４５】
そこで、図８に、作製される歌詞カードの歌詞視認の原理説明図を示す。図８（Ａ）は一番歌詞を視認するもので、視点４４Ａより見た場合、レンチキュラーレンズ４３によって可変表示領域４６上の部分構成文字情報４６Ａ−３，４６Ａ−６，４６Ａ−９，４６Ａ−１２，・・・が縦方向に３倍拡大されて、図３（Ａ）のように視認される。また、図８（Ｂ）は二番歌詞を視認するもので、視点４４Ｂより見た場合、レンチキュラーレンズ４３によって可変表示領域４６上の部分構成文字情報４６Ｂ−２，４６Ｂ−５，４６Ｂ−８，４６Ｂ−１１，・・・が縦方向に３倍拡大されて、図３（Ｂ）のように視認される。
【００４６】
さらに、図８（Ｃ）は三番歌詞を視認するもので、視点４４Ｃより見た場合、レンチキュラーレンズ４３によって可変表示領域４６上の部分構成文字情報４６Ｃ−１，４６Ｃ−４，４６Ｃ−７，４６Ｃ−１０，・・・が縦方向に３倍拡大されて、図３（Ｃ）のように視認されるものである。このことはイメージ画像を多面表示させる場合も同様である。なお、固定情報領域４５上の固定情報（又は多面表示させないイメージ画像）は、上述のように合成されていることから、各視点４４Ａ〜４４Ｃによっても常に同一の情報が視認されるものである。
【００４７】
次に、図９及び図１０に、作製される歌詞カードにおける合成歌詞の他の形成説明図を示す。なお、図９及び図１０における合成歌詞形成手法を、圧縮法と称し、また、上述と同様に縦方向の一文字を、例えば４８ライン分に分けて各一ライン分を上記部分構成文字情報とする。
【００４８】
図９（Ａ）は、上記楽曲の一番歌詞を示したもので、当該一番歌詞元データ４６Ａが４８ラインに分けられて、それぞれを部分構成文字情報４６Ａ−１〜４６Ａ−４８とされる。これら部分構成文字情報４６Ａ−１〜４６Ａ−４８のうちの文字内部情報「あいう・・・」のみを縦方向に１／３に圧縮する。圧縮された文字内部情報は、一文字分の縦方向の長さが元データの１／３となる。これが拡大率３倍のレンチキュラーレンズ４３で縦方向のみが拡大されると元データの縦方向の長さと同様となる。また、圧縮された文字内部情報は、第１ライン（４６Ａ−１）〜第１６ライン（４６Ａ−１６）に配置されることとなり、これらを部分構成文字情報４６Ａ−１〜４６Ａ−１６として採用する。
【００４９】
同様に、図９（Ｂ）は、上記楽曲の二番歌詞を示したもので、当該二番歌詞元データ４６Ｂが４８ラインに分けられて、それぞれを部分構成文字情報４６Ｂ−１〜４６Ｂ−４８とされる。これら部分構成文字情報４６Ｂ−１〜４６Ｂ−４８のうちの文字内部情報「いろは・・・」のみを縦方向に１／３に圧縮する。圧縮された文字内部情報は、一文字分の縦方向の長さが元データの１／３となる。これが拡大率３倍のレンチキュラーレンズ４３で縦方向のみが拡大されると元データの縦方向の長さと同様となる。また、圧縮された文字内部情報は、第１ライン（４６Ｂ−１）〜第１６ライン（４６Ｂ−１６）に配置されることとなり、これらを部分構成文字情報４６Ｂ−１〜４６Ｂ−１６として採用する。
【００５０】
同様に、図９（Ｃ）は、上記楽曲の三番歌詞を示したもので、当該三番歌詞元データ４６Ｃが４８ラインに分けられて、それぞれを部分構成文字情報４６Ｃ−１〜４６Ｃ−４８とされる。これら部分構成文字情報４６Ｃ−１〜４６Ｃ−４８のうちの文字内部情報「アイウ・・・」のみを縦方向に１／３に圧縮する。圧縮された文字内部情報は、一文字分の縦方向の長さが元データの１／３となる。これが拡大率３倍のレンチキュラーレンズ４３で縦方向のみが拡大されると元データの縦方向の長さと同様となる。また、圧縮された文字内部情報は、第１ライン（４６Ｃ−１）〜第１６ライン（４６Ｃ−１６）に配置されることとなり、これらを部分構成文字情報４６Ｃ−１〜４６Ｃ−１６として採用する。
【００５１】
そこで、図１０（Ａ）に示すように、一番歌詞の部分構成文字情報４６Ａ−１〜４６Ａ−１６と、二番歌詞の部分構成文字情報４６Ｂ−１〜４６Ｂ−１６と、三番歌詞の部分構成文字情報４６Ｃ−１〜４６Ｃ−１６とを、三番歌詞４６Ｃ、二番歌詞４６Ｂ、一番歌詞４６Ａの順に４６Ｃ−１，４６Ｂ−１，４６Ａ−１，４６Ｃ−２，４６Ｂ−２，４６Ａ−２・・・の各部分構成文字情報を配列することで一番〜三番までの全歌詞が４８ラインとして合成されるものである。
【００５２】
上記のように合成された合成歌詞が、図１０（Ｂ）に示すように、歌詞表示基材４２の可変表示領域４６上であって、一の線状帯の幅内に一番歌詞から三番歌詞の合成歌詞４６Ｃ−１，４６Ｂ−１，４６Ａ−１，４６Ｃ−２，４６Ｂ−２，４６Ａ−２・・・として印刷（この場合、上記１ラインの幅の最低限１／３の解像度による印刷）されるものである。なお、固定情報領域４５上の固定情報についても同様の圧縮法（若しくは上述のピックアップ法でもよい）で形成されて４８ラインとされる。そして、上述のような合成歌詞が、図８（Ａ）〜図８（Ｃ）と同様な視点４４Ａ〜４４Ｃによって、縦方向に３倍拡大されて図３（Ａ）〜図３（Ｃ）のようにそれぞれの番の歌詞が視認されるものである。
【００５３】
このように、従前の全歌詞を表示する歌詞カードの大きさで歌詞表示させる場合にはその分文字を大とすることが可能となって歌詞表示の視認性を向上させることができ、従前の全歌詞を表示する歌詞カードの文字大で歌詞表示させる場合には一の番の歌詞表示領域の大きさで歌詞表示させることが可能となってコンパクト性を向上させることができるものである。この場合、上記のように合成歌詞を形成するにあたり、圧縮法の方がピックアップ法より視認に対する表示品質を向上させることができるものである。しかもこのような歌詞カードをカラオケ装置における楽曲選択からの操作性を連続させて作製させることを可能とさせ、これによって需要喚起を図ることができると共に、カラオケ施設の利用喚起を図ることができるものである。
【００５４】
次に、図１１に、本発明に係るカラオケシステムにおける他の実施形態の構成図を示す。上記実施形態におけるカラオケシステム１１は単一のカラオケ装置１２と、楽曲ＤＢ１３と、歌詞カード作製部１４とで構成した概念で示したが、本実施形態のカラオケシステムでは、カラオケ施設における歌唱ルームごとに設置される各カラオケ装置と、単一の楽曲ＤＢ１３と、単一の歌詞カード作製部１４とで構成した概念で示すものである。
【００５５】
すなわち、図１１（Ａ）においてカラオケシステム７１は、複数のカラオケ装置１２のそれぞれが、図１（Ｂ）に示すような単一の楽曲ＤＢ１３を使用形態で共有し、また、単一の歌詞カード作製部１４を使用形態で共有したものである。当該歌詞カード作製部１４は、それぞれのカラオケ装置１２より送出されてくる印刷ファイルに基づいて歌詞カード４１を作製するものである。
【００５６】
また、図１１（Ｂ）においてカラオケシステム８１は、複数のカラオケ装置８２のそれぞれが、単一の楽曲ＤＢ１３を使用形態で共有し、また、歌詞印刷編集手段２９を備える単一の歌詞カード作製部８３を使用形態で共有したものである。この場合、カラオケ装置８２は、図１（Ａ）に示すカラオケ装置１２の歌詞印刷編集手段２９を除いた構成である。当該歌詞カード作製部８３は、それぞれのカラオケ装置８２より送出される歌詞データ等を取得し、これらのデータに基づいて歌詞印刷編集手段２９において合成歌詞等を作成して印刷ファイルを作成し、当該印刷ファイルに基づいて歌詞カードを作製するものである。
【００５７】
このように、歌詞カード作製部を単一とし、また歌詞印刷編集手段２９を当該歌詞カード作製部に備えさせることによっても、上記同様に、楽曲選択からの操作性を連続させて視認性やコンパクト性の優れた歌詞カードの作製を可能とさせ、これによって需要喚起を図ることができると共に、カラオケ施設の利用喚起を図ることができるものである。
【産業上の利用可能性】
【００５８】
本発明のカラオケシステムは、カラオケ施設で提供される有償、無償を問わない印刷加工物等の楽曲関連での利用に適する。
【図面の簡単な説明】
【００５９】
【図１】本発明に係るカラオケシステムの構成図である。
【図２】図１のカラオケシステムにおける歌詞印刷編集手段の構成説明図である。
【図３】図１のカラオケシステムで作製される歌詞カードの表示説明図である。
【図４】図１のカラオケシステムで作製される歌詞カードの構成説明図である。
【図５】作製される歌詞カードにおける合成歌詞の形成説明図（１）である。
【図６】作製される歌詞カードにおける合成歌詞の形成説明図（２）である。
【図７】図１のカラオケシステムにおける歌詞カード作製部の構成説明図である。
【図８】作製される歌詞カードの歌詞視認の原理説明図である。
【図９】作製される歌詞カードにおける合成歌詞の他の形成説明図（１）である。
【図１０】作製される歌詞カードにおける合成歌詞の他の形成説明図（２）である。
【図１１】本発明に係るカラオケシステムにおける他の実施形態の構成図である。
【符号の説明】
【００６０】
１１，７１，８１  カラオケシステム
１２，８２        カラオケ装置
１３              楽曲ＤＢ
１４，８３        歌詞カード作製部
１５              制御処理部
１９              遠隔入出力端末
２９              歌詞印刷編集手段
３１              設定手段
３３              歌詞分解合成編集手段
３５              印刷情報ＤＢ
４１              歌詞カード
４２              歌詞表示基材
４３              レンチキュラーレンズ
４５              固定情報領域
４６              可変表示領域
５１              歌詞表示基材供給部
５２              印刷部
５３              接着剤塗布部
５４，５５        位置合わせ部
５６              接着合わせ部
５８              レンズシート供給部
【図１】
0004393432.tif 000002
【図２】
0004393432.tif 000003
【図３】
0004393432.tif 000004
【図４】
0004393432.tif 000005
【図５】
0004393432.tif 000006
【図６】
0004393432.tif 000007
【図７】
0004393432.tif 000008
【図８】
0004393432.tif 000009
【図９】
0004393432.tif 000010
【図１０】
0004393432.tif 000011
【図１１】
0004393432.tif 000012